【事件の表示】
　特許第２６４６４２６号「電動歯ブラシ」の請求項１ないし２、４に係る特許に対する特許異議の申立てについて、次のとおり決定する。
【結論】
　訂正を認める。
　特許第２６４６４２６号の請求項１ないし２に係る特許を維持する。
【理由】
〔１〕手続きの経緯
　本件特許第２６４６４２６号（以下「本件特許」という。）は、平成７年５月３１日の出願であって、平成９年５月９日に特許権の設定登録がなされ、その後、柳澤雄二により、請求項１、請求項２及び請求項４に係る特許に対して、特許異議の申立てがなされた。そして、当審において取消理由通知がなされ、その指定期間内である平成１１年２月３日に訂正請求がなされ、さらにその後、訂正拒絶理由通知がなされ、その指定期間内である平成１１年４月２３日に訂正請求書の補正がなされたものである。
〔２〕訂正の適否についての判断
（１）訂正事項
　本件訂正請求は、以下のとおりのものである。
▲１▼訂正前の請求項２の「各カム孔は、その長袖の向きがほぼ同一である」を「各カム孔は、その長軸の向きがほぼ同一で、かつ斜め方向を向いている」と訂正し、請求項２とする。
▲２▼訂正前の請求項１の「カム孔」を「各カム孔は、隣位するカム孔の長軸の向きが、少なくとも一箇所において相互に異なっている」と訂正し、請求項３とする。
▲３▼訂正後の請求項３をさらに限定して、「隣位するカム孔の長軸の向きが、ほぼ９０度ずれている」と訂正し、請求項４とする。
▲４▼訂正後の請求項４をさらに限定して、「各カム孔の長袖の向きは、上下方向および横方向である」と訂正し、請求項５とする。
▲５▼訂正後の請求項４をさらに限定して、「各カム孔の長袖の向きは、右斜め方向および左斜め方向である」と訂正し、請求項６とする。
▲６▼訂正明細書の特許請求の範囲の「特徴とる電動歯ブラシ」を、「特徴とする電動歯ブラシ」と訂正する。
▲７▼発明の詳細な説明の項の課題を解決するための手段の項中の「クランクシャフトと；をそれぞれ設けたことを特徴とする。」（段落【００１０】）を「クランクシャフトと；をそれぞれ設け、前記各カム孔の長軸の向きが、ほぼ同一で、かつ上下方向を向くようにしたことを特徴とする。」と、「各カム孔の長軸の向きがほぼ同一になるように（（段落【００１１】を、「各カム孔の長軸の向きが、ほぼ同一で、かつ斜め方向を向くように」と、「各カム孔が上下方向を向くように」（段落【００１２】）を「隣位するカム孔の長軸の向きが、少なくとも一箇所において相互に異な．るように」と、「各カム孔の長軸が上下方向を向くように」（段落【００１３】）を、「隣拉するカム孔の長軸の向きが、ほぼ９０度ずれるように」と、「隣位するカム孔の長軸の向きが、上下方向ほぼ９０度ずれるように」（段落【００１４】）を、１「各カム孔の長軸の向きが、上下方向および横方向となるように」と、「各カム孔の長軸の向きを、上下方向および横方向とした」（段落【００１５】）を、「各カム孔の長軸の向きが、右斜め方向及び左斜め方向となるようにした」と、それぞれ訂正するものである。
（２）訂正の適否の判断
　上記訂正事項▲１▼は、カム孔の長軸の向きを「ほぼ同一で、かつ斜め方向を向いている」と特定するものであるから、特許請求の範囲の減縮を目的とするものに当たり、また、この事項は、願書に添付した明細書の発明の詳細な説明中の「カム孔３８は、図９に示すように、例えば右斜め４５度の方向に長袖を有する右斜め長孔で構成され」（段落【００３６】）との記載からみて、願書に添付した明細書に記載した事項の範囲内のものであり、しかも、実質上特許請求の範囲を拡張し、又は変更するものでもない。
　上記訂正事項▲２▼は、カム孔を「各カム孔は、隣位するカム孔の長軸の向きが、少なくとも一箇所において相互に異なっている」旨特定するものであるから、特許請求の範囲の減縮を目的とするものに当たり、また、この事項は、願書に添付した明細書の発明の詳細な説明中の「例えばカム孔１８を有するブラシ体１４とカム孔２８を有するブラシ体１４とを、ブラシ装着部１１内に交互に配置するようにしたり、あるいはカム孔３８を有するブラシ体１４とカム孔４８を有するブラシ体１４とを、ブラシ装着部１１内に交互に配置する。」（段落【００４１】）との記載からみて、願書に添付した明細書に記載した事項の範囲内のも−のであり、しかも、実質上特許請求の範囲を拡張し、又は変更するものでもない。
　上記訂正事項▲３▼は、訂正後の請求項２をさらに特定して、「隣位するカム孔の長軸の向きが、ほぼ９０度ずれている」とするものであるから、特許請求の範囲の減縮を目的とするものに当たり、また、この事項は、願書に添付した明細書の発明の詳細な説明中の「例えばカム孔１８を有するブラシ体１４とカム孔２８を有するブラシ体１４とを、ブラシ装着部１１内に交互に配置するようにしたり、あるいはカム孔３８を有するブラシ体１４とカム孔４８を有するブラシ体１４とを、ブラシ装着部１１内に交互に配置する。」（段落【００４】）との記載からみて、願書に添付した明細書に記載した事項の範囲内のものであり、しかも、実質上特許請求の範囲を拡張し、又は変更するものでもない。
　上記訂正事項▲４▼は、訂正後の請求項４をさらに特定して、「各カム孔の長軸の向きは、上下方向および横方向である」とするものであるから、特許請求の範囲の減縮を目的とするものに当たり、また、この事項は、願書に添付した明細書の発明の詳細な説明中の「例えばカム孔１８を有するブラシ体１４とカム孔２８を有するブラシ体１４とを、ブラシ装着部１１内に交互に配置するようにしたり、あるいはカム孔３８を有するブラシ体１４とカム孔４８を有するブラシ体１４とを、ブラシ装着部１１内に交互に配置する。」（段落【００４１】）との記載からみて、願書に添付した明細書に記載した事項の範囲内のものであり、しかも、実質上特許請求の範囲を拡張し、又は変更するものでもない。
　上記訂正事項▲５▼は、訂正後の請求項４をさらに特定して、「各カム孔の長軸の向きは、右斜め方向および左斜め方向である」とするものであるから、特許請求の範囲の減縮を目的とするものに当たり、また、この事項は、願書に添付した明細書の発明の詳細な説明中の「例えばカム孔１８を有するブラシ体１４とカム孔２８を有するブラシ体１４とを、ブラシ装着部１１内に交互に配置するようにしたり、あるいはカム孔３８を有するブラシ体１４とカム孔４８を有するブラシ体１４とを、ブラシ装着部１１内に交互に配置する。」（段落【００４１】）という記載からみて、願書に添付した明細書に記載した事項の範囲内のものであり、しかも、実質上特許請求の範囲を拡張し、又は変更するものでもない。
　上記訂正事項▲６▼は、誤記の訂正を目的とするものであり、願書に添付した明細書に記載した事項の範囲内のものであり、また、実質上特許請求の範囲を拡張し、又は変更するものでもない。
　上記訂正事項▲７▼は、訂正明細書の特許請求の範囲の記載と整合を図るための補正であるから、明りようでない記載の釈明を目的とするものであり、願書に添付した明細書に記載した事項の範囲内のものであり、また、実質上特許請求の範囲を拡張し、又は変更するものでもない。
　さらに、本件訂正後の請求項１に記載された発明が特許出願の際独立して特許を受けることができない発明であるとすることもできない（後述のとおり特許異議の申立ては理由がなく、その他本件訂正後の請求項１乃至７に記載された発明が特許を受けることができない発明であるとする理由を発見しない。）
　したがって、本件訂正は、特許法第１２０条の４第２項ただし書各号に該当し、さらに同条第３項の規定により準用する同法第１２６条第２項乃至第４項の規定にも適合するものであると認められるので、これを認めることとする。
〔３〕特許異議申立てについての判断
（１）本件特許の請求項１乃至７に係る発明は、訂正された明細書及び図面の記載からみて、その特許請求の範囲の請求項に記載された以下のものにあるものと認める。
「請求項１
　電動モータを内蔵する把手本体と；この把手本体の先端に着脱可能に装着され、先端に上面側に開口するブラシ装着部を有するブラシホルダと；このブラシホルダ内に回転自在に配設され、ブラシホルダを前記把手本体に装着した際に基端部が前記電動モータに接続される駆動シャフトと；取付ブロックと取付ブロックの上面に植設された毛束とを有し、相互に独立して動作可能に前記ブラシ装着部内の軸方向に複数配置されたブラシ本体と；前記取付ブロックにそれぞれ設けられた長孔状のカム孔と；前記駆動シャフトの先端部に設けられ、前記各カム孔を連続して貫通するクランクシャフトと；を具備し、前記各カム孔は、その長軸の向きがほぼ同一で、かつ上下方向を向いていることを特徴とする電動歯ブラシ。
　請求項２
　電動モータを内蔵する把手本体と；この把手本体の先端に着脱可能に装着され、先端に上面側に開口するブラシ装着部を有するブラシホルダと；このブラシホルダ内に回転自在に配設され、ブラシホルダを前記把手本体に装着した際に基端部が前記電動モータに接続される駆動シャフトと；取付ブロックと取付ブロックの上面に植設された毛束とを有し、相互に独立して動作可能に前記ブラシ装着部内の軸方向に複数配置されたブラシ本体と；前記取付ブロックにそれぞれ設けられた長孔状のカム孔と；前記駆動シャフトの先端部に設けられ、前記各カム孔を連続して貫通するクランクシャフトと；を具備し、前記各カム孔は、その長軸の向きがほぼ同一で、かつ斜め方向を向いていることを特徴とする電動歯ブラシ。
　請求項３
　電動モータを内蔵する把手本体と；この把手本体の先端に着脱可能に装着され、先端に上面側に開口するブラシ装着部を有するブラシホルダと；このブラシホルダ内に回転自在に配設され、ブラシホルダを前記把手本体に装着した際に基端部が前記電動モータに接続される駆動シャフトと；取付ブロックと取付ブロックの上面に植設された毛束とを有し、相互に独立して動作可能に前記ブラシ装着部内の軸方向に複数配置されたブラシ本体と；前記取付ブロックにそれぞれ設けられた長孔状のカム孔と；前記駆動シャフトの先端部に設けられ、前記各カム孔を連続して貫通するクランクシャフトと；を具備し、前記各カム孔は、隣位するカム孔の長軸の向きが、少なくとも一箇所において相互に異なっていることを特徴とする電動歯ブラシ。
　請求項４
　隣位するカム孔の長軸の向きが、ほぼ９０度ずれていることを特徴とする請求項３記載の電動歯ブラシ。
　請求項５
　各カム孔の長軸の向きは、上下方向および横方向であることを特徴とする請求項４記載の電動歯ブラシ。
　請求項６
　各カム孔の長軸の向きは、右斜め方向および左斜め方向であることを特徴とする請求項４記載の電動歯ブラシ。
　請求項７
　電動モータを内蔵する把手本体と；この把手本体の先端に着脱可能に装着され、先端に上面側に開口するブラシ装着部を有するブラシホルダと；このブラシホルダ内に回転自在に配設され、ブラシホルダを前記把手本体に装着した際に基端部が前記電動モータに接続される駆動シャフトと；取付ブロックと取付ブロックの上面に植設された毛束とを有し、相互に独立して動作可能に前記ブラシ装着部内の軸方向に複数配置されたブラシ本体と；前記取付ブロックにそれぞれ設けられた長孔状のカム孔と；前記駆動シャフトの先端部に設けられ、前記各カム孔を連続して貫通するクランクシャフトと；を具備し、前記各カム孔は、その長軸の向きが変更可能となっていることを特徴とする電動歯ブラシ。」
（２）これに対して、特許異議の申立ての理由は、「本件の請求項１、２および４に係る特許発明は甲第１号証に記載された発明であるから特許法２９条第１項第３号に掲げる発明に該当し、従って、上記各発明に係る特許はいずれも同法第１１３条第１項第２号により取り消すべきものである。」というにあり、以下の証拠を提出している。
甲第１号証：米国特許第５２５９０８３号明細書
（３）上記刊行物１には、カム孔の長軸の向きを同一の向きとし、かつその向きが横方向である電動歯ブラシは記載されている。しかしながら、カム孔の長軸の向きが、「ほぼ同一で、かつ上下方向を向いている」点、カム孔の長軸の向きが、「ほぼ同一で、かつ斜め方向を向いている」点、隣位するカム孔の長軸の向きが、「少なくとも一箇所において相互に異なっている」点、隣位するカム孔の長軸の向きが、「少なくとも一箇所において相互に異な」り、かつ「ほぼ９０度ずれている」点、隣位するカム孔の長軸の向きが、「少なくとも一箇所において相互に異な」り、かつ「ほぼ９０度ずれ」、その［長軸の向きが上下方向及び横方向である」点、隣位するカム孔の長軸の向きが、「少なくとも一箇所において相互に異な」り、かつ「ほぼ９０度ずれ」、その「長軸の向きが右斜め方向及び左斜め方向である」点、カム孔の「長軸の向きが変更可能となっている」点に関しては、記載も示唆もない。
　したがって、本件特許の請求項１乃至請求項７に係る発明が、上記刊行物１に記載された発明であるとすることはできない。
〔４〕まとめ
　したがって、特許異議申立人の主張する申立ての理由及び提出した証拠方法によっては、請求項１ないし２に係る発明の特許を取り消すことはできない。
　よって、結論のとおり決定する。
【異議決定日】
平成１１年８月２日（１９９９．８．２）
【訂正の要旨】
　　　訂正の要旨
　特許請求の範囲の減縮を目的として、
▲１▼請求項２の「各カム孔は、その長軸の向きがほぼ同一である」を「各カム孔は、その長軸の向きがほぼ同一で、かつ斜め方向を向いている」と訂正する。
▲２▼請求項１の「カム孔」を「各カム孔は、隣位するカム孔の長軸の向きが、少なくとも一箇所において相互に異なっている」と訂正し、請求項３とする。
▲３▼訂正後の請求項３をさらに限定して、「隣位するカム孔の長軸の向きが、ほぼ９０度ずれている」と訂正し、請求項４とする。
▲４▼訂正後の請求項４をさらに限定して、「各カム孔の長軸の向きは、上下方向および横方向である」と訂正し、請求項５とする。
▲５▼訂正後の請求項４をさらに限定して、「各カム孔の長軸の向きは、右斜め方向および左斜め方向である」と訂正し、請求項６とする。
　誤記の訂正を目的として、
▲６▼訂正明細書の特許請求の範囲の「特徴とる電動歯ブラシ」を、「特徴とする電動歯ブラシ」と訂正する。
　明りょうでない記載の釈明を目的として、
▲７▼発明の詳細な説明の項の課題を解決するための手段の項の「クランクシャフトと；をそれぞれ設けたことを特徴とする。」を「クランクシャフトと；をそれぞれ設け、前記各カム孔の長軸の向きが、ほぼ同一で、かつ上下方向を向くようにしたことを特徴とする。」、「各カム孔の長軸の向きがほぼ同一になるように」を、「各カム孔の長軸の向きが、ほぼ同一で、かつ斜め方向を向くように」、「各カム孔が上下方向を向くように」を「隣位するカム孔の長軸の向きが、少なくとも一箇所において相互に異なるように」、「各カム孔の長軸が上下方向を向くように」を、「隣位するカム孔の長軸の向きが、ほぼ９０度ずれるように」、「隣位するカム孔の長軸の向きが、上下方向ほぼ９０度ずれるように」を、「各カム孔の長軸の向きが、上下方向および横方向となるように」、「各カム孔の長軸の向きを、上下方向および横方向とした」を、「各カム孔の長軸の向きが、右斜め方向及び左斜め方向となるようにした」と訂正するものである。
（５４）【発明の名称】
電動歯ブラシ
（５７）【特許請求の範囲】
　　【請求項１】　電動モータを内蔵する把手本体と；この把手本体の先端に着脱可能に装着され、先端に上面側に開口するブラシ装着部を有するブラシホルダと；このブラシホルダ内に回転自在に配設され、ブラシホルダを前記把手本体に装着した際に基端部が前記電動モータに接続される駆動シャフトと；取付ブロックと取付ブロックの上面に植設された毛束とを有し、相互に独立して動作可能に前記ブラシ装着部内の軸方向に複数配置されたブラシ本体と；前記取付ブロックにそれぞれ設けられた長孔状のカム孔と；前記駆動シャフトの先端部に設けられ、前記各カム孔を連続して貫通するクランクシャフトと；を具備し、前記各カム孔は、その長軸の向きがほぼ同一で、かつ上下方向を向いていることを特徴とする電動歯ブラシ。
　　【請求項２】　電動モータを内蔵する把手本体と；この把手本体の先端に着脱可能に装着され、先端に上面側に開口するブラシ装着部を有するブラシホルダと；このブラシホルダ内に回転自在に配設され、ブラシホルダを前記把手本体に装着した際に基端部が前記電動モータに接続される駆動シャフトと；取付ブロックと取付ブロックの上面に植設された毛束とを有し、相互に独立して動作可能に前記ブラシ装着部内の軸方向に複数配置されたブラシ本体と；前記取付ブロックにそれぞれ設けられた長孔状のカム孔と；前記駆動シャフトの先端部に設けられ、前記各カム孔を連続して貫通するクランクシャフトと；を具備し、前記各カム孔は、その長軸の向きがほぼ同一で、かつ斜め方向を向いていることを特徴とする電動歯ブラシ。
　　【請求項３】　電動モータを内蔵する把手本体と；この把手本体の先端に着脱可能に装着され、先端に上面側に開口するブラシ装着部を有するブラシホルダと；このブラシホルダ内に回転自在に配設され、ブラシホルダを前記把手本体に装着した際に基端部が前記電動モータに接続される駆動シャフトと；取付ブロックと取付ブロックの上面に植設された毛束とを有し、相互に独立して動作可能に前記ブラシ装着部内の軸方向に複数配置されたブラシ本体と；前記取付ブロックにそれぞれ設けられた長孔状のカム孔と；前記駆動シャフトの先端部に設けられ、前記各カム孔を連続して貫通するクランクシャフトと；を具備し、前記各カム孔は、隣位するカム孔の長軸の向きが、少なくとも一箇所において相互に異なっていることを特徴とする電動歯ブラシ。
　　【請求項４】　隣位するカム孔の長軸の向きが、ほぼ９０度ずれていることを特徴とする請求項３記載の電動歯ブラシ。
　　【請求項５】　各カム孔の長軸の向きは、上下方向および横方向であることを特徴とする請求項４記載の電動歯ブラシ。
　　【請求項６】　各カム孔の長軸の向きは、右斜め方向および左斜め方向であることを特徴とする請求項４記載の電動歯ブラシ。
　　【請求項７】　電動モータを内蔵する把手本体と；この把手本体の先端に着脱可能に装着され、先端に上面側に開口するブラシ装着部を有するブラシホルダと；このブラシホルダ内に回転自在に配設され、ブラシホルダを前記把手本体に装着した際に基端部が前記電動モータに接続される駆動シャフトと；取付ブロックと取付ブロックの上面に植設された毛束とを有し、相互に独立して動作可能に前記ブラシ装着部内の軸方向に複数配置されたブラシ本体と；前記取付ブロックにそれぞれ設けられた長孔状のカム孔と；前記駆動シャフトの先端部に設けられ、前記各カム孔を連続して貫通するクランクシャフトと；を具備し、前記各カム孔は、その長軸の向きが変更可能となっていることを特徴とする電動歯ブラシ。
【発明の詳細な説明】
　　　【０００１】
　　【産業上の利用分野】
　本発明は、口腔衛生用具として使用される電動歯ブラシに係り、特に効率よく歯茎部や歯間部を掃除することができる電動歯ブラシに関する。
　　　【０００２】
　　【従来の技術】
　従来から、ブラシ先端の毛束に電動モータの力を伝え、毛束を往復動あるいは回転動させるようにした電動歯ブラシは一般に知られているが、従来の電動歯ブラシは、そのほとんどが、ブラシ先端部全体を動かすことにより毛束を動作させるようにしているため、ブラシ先端部を口腔内に挿入する際に、毛束以外の硬質部分が歯や歯茎に衝突し、口腔内を傷付けるおそれがある。
　　　【０００３】
　また、従来の電動歯ブラシは、毛束が１つの動きしかしないため、効率よく歯茎部や歯間部を掃除できず、電動歯ブラシを用いているにも拘らず、電動歯ブラシを把持している手を動かし、毛束に補助動作を加えなければならないという問題がある。
　　　【０００４】
　そこで一部では、例えば特開平５−２６９０２３号公報に示されているように、ブラシ先端部を往復動あるいは反転動させながら、同時に毛束を突出方向に往復動させるようにしッた電動歯ブラシが提案されている。
　　　【０００５】
　　【発明が解決しようとする課題】
　特開平５−２６９０２３号公報に示されている従来の電動歯ブラシにおいては、毛束が往復動あるいは反転動しながら、同時に突出方向へ往復動することになるため、旧来の電動歯ブラシに比較すれば、効率よく歯茎部や歯間部を掃除できるという利点を有しッているが、すべての毛束が全く同一の動作となるため、歯茎部と歯間部とを同時に掃除することができず、必ずしも満足する結果が得られないという問題がある。
　　　【０００６】
　また、旧来の電動歯ブラシと同様、毛束のみならずブラシ先端部全体が動くため、特に奥歯や歯の内側を掃除する際に、振動しているブラシ先端部が歯茎部や歯に衝接し、使用者に不快感を与えるという問題がある。
　　　【０００７】
　本発明は、かかる現況に鑑みなされたもので、ブラシホルダを振動させることなく毛束のみを振動させることができ、しかも構造を簡素化して毛束部分の形状を小型にすることができ、子供用としても用いることができる電動歯ブラシを提供することを目的とする。
　　　【０００８】
　本発明の他の目的は、効率よく歯茎部と歯間部とを掃除することができ、歯並びが悪い場合でも充分に掃除することができる電動歯ブラシを提供するにある。
　　　【０００９】
　本発明のさらに他の目的は、使用者が自分の歯並びに合わせて毛束の動きを調節することができる電動歯ブラシを提供するにある。
　　　【００１０】
　　【課題を解決するための手段】
　前記目的を達成するため本発明は、電動モータを内蔵する把手本体と；この把手本体の先端に着脱可能に装着され、先端に上面側に開口するブラシ装着部を有するブラシホルダと；このブラシホルダ内に回転自在に配設され、ブラシホルダを前記把手本体に装着した際に基端部が前記電動モータに接続される駆動シャフトと；取付ブロックと取付ブロックの上面に植設された毛束とを有し、相互に独立して動作可能に前記ブラシ装着部内の軸方向に複数配置されたブラシ本体と；前記取付ブロックにそれぞれ設けられた長孔状のカム孔と；前記駆動シャフトの先端部に設けられ、前記カム孔を連続して貫通するクランクシャフトと；をそれぞれ設
け、前記各カム孔の長軸の向きが、ほぼ同一で、かつ上下方向を向くよう
　　　【００１１】
　本発明はまた、各カム孔の長軸の向きが
、
で、かつ斜め方向を向く
う
　　　【００１２】
　本発明はまた、
隣位するカム孔の長軸の向きが、少なくとも一箇所において相互に異なる
　　　【００１３】
　本発明はまた、
隣位するカム孔の長軸の向きが、ほぼ９０度ずれる
　　　【００１４】
　本発明はまた、
各カム孔の長車の口きが、上下方向および横方向となる
　　　【００１５】
　本発明はまた、各カムの長軸の向き
が、右斜め方向および左斜め方向となるように
　　　【００１６】
　本発明はさらに、各カム孔の長軸の向きを変更できるようにしたことを特徴とする。
　　　【００１７】
　　【作用】
　本発明においては、把手本体の先端にブラシホルダを装着することにより、駆動シャフトが電動モータに接続され、駆動シャフトが回転駆動される。この駆動シャフトの先端にはクランクシャフトが設けられ、このクランクシャフトは、複数の各ブラシ本体の取付ブロックに設けられた長孔状のカム孔を連続して貫通している。このため、クランクシャフトの回転により、各ブラシ本体がカム孔の長軸の向きに応じた方向に動作し、毛束により掃除が行なわれる。
　　　【００１８】
　本発明においてはまた、各カム孔の長軸の向きがほぼ同一となっている。このため、各毛束の動作をほぼ同一とすることが可能となる。そしてこの際、各カム孔の長軸を上下方向に向けることにより、毛束を横方向に動作させることが可能となり、また、各カム孔の長軸を横方向に向けることにより、毛束を上下方向に動作させることが可能となる。すなわち、各カム孔の長軸の向きを変更するだけで、各毛束の動作を変更することが可能となる。
　　　【００１９】
　本発明においてはまた、隣位するカム孔の長軸の向きが、ほぼ９０度ずれている。このため、顕著に異なる２つの動作で隣位するブラシ本体を作動させることが可能となる。そしてこの際、各カム孔の長軸の向きを、上下方向および横方向とすることにより、毛束の動作として、横方向の動作と上下方向の動作とが同時に得られ、効率よく歯茎部と歯間部とを同時に掃除することが可能となる。
　　　【００２０】
　本発明においてはさらに、各カム孔の長軸の向きが、変更できるようになっている。このため、使用者が自分の歯並びに合わせて毛束の動きを調節することが可能となる。
　　　【００２１】
　　【実施例】
　以下、本発明を図面を参照して説明する。
　図１ないし図３は、本発明の第１実施例に係る電動歯ブラシを示すもので、この電動歯ブラシ１は、電動モータ２および乾電池等の電源３を内蔵する把手本体４と、この把手本体４に着脱可能に装着されるブラシホルダ５とを備えている。
　　　【００２２】
　前記把手本体４は、図１ないし図３に示すように、概略円筒状をなしており、その上面には、前後にスライドさせて電動モータ２への給電を制御するスライドスイッチ６が設けられ、また把手本体４の基端部には、電源３を交換するためのキャップ７が設けられている。また、把手本体４の先端部には、先端に向かって次第に縮径する截頭円錐筒状の連結筒８が一体に設けられており、ブラシホルダ５は、この連結筒８に冠着された状態で、把手本体４に連結されるようになっている。そしてその際、連結筒８に設けた係止突起９が、ブラシホルダ５に設けた係止孔１０にスナヅプ係止され、これにより軸廻りの位置決めがなされた状態で把手本体４とブラシホルダ５とが安定に連結されるようになっている。
　　　【００２３】
　前記ブラシホルダ５は、図１ないし図３に示すように、所定長さの筒状をなしており、その先端部には、上面側に開口する容器状のブラシ装着部１１が一体に設けられ、またブラシホルダ５の内部には、駆動シャフト１２が回転自在に配設されている。そして、この駆動シャフト１２の基端部は、図１に示すよう、ブラシホルダ５を把手本体４に装着した際に、電動モータ２の出力軸２ａに固着した連結具１３を介して電動モータ２に着脱可能に接続され、電動モータ２によって回転駆動されるようになっている。
　　　【００２４】
　前記ブラシ装着部１１内には、図１および図２に示すように、例えば５個のブラシ本体１４が軸方向に並列配置されており、これら各ブラシ本体１４は、前記駆動シャフト１２の先端に形成したクランクシャフト１５により、相互に独立して上下方向に往復駆動されるようになっている。
　　　【００２５】
　すなわち、前記各ブラシ本体１４は、図１，図２，図４および図５に示すように、板状をなしてブラシ装着部１１内に配置される取付ブロック１６と、この取付ブロック１６の上面に例えば一列に植設されてブラシ装着部１１から上面側に突出する毛束１７とから構成されており、前記各取付ブロック１６には、横方向に長軸を有する横長孔で構成されるカム孔１８がそれぞれ設けられ、これら各カム孔１８には、クランクシャフト１５が連続して貫通配置されている。
　　　【００２６】
　このクランクシャフト１５は、図１に示すように、各カム孔１８に対応するクランクピン部が軸廻りに１８０度ずつずれていて、しかも各クランクピン部の軸心からの偏位量が同一となる形状に形成されており、したがってこのクランクシャフト１５の回転により、図１に示すように、ブラシ装着部１１の先端から１列目目，３列目および５列目のブラシ本体１４が上動した際には、２列目および４列目のブラシ本体１４が下降し、逆に２列目および４列目のブラシ本体１４が上動した際には、１列目，３列目および５列目のブラシ本体１４が下降するようになっている。
　　　【００２７】
　なお、図１において、符号１９は、ブラシ装着部１１の底部に設けられた水抜き孔、符号２０は、ブラシホルダ５の長手方向中間部に設けられた水抜き孔である。
　　　【００２８】
　次に、本実施例の作用について説明する。
　図１および図２に示すように、把手本体４の先端部にブラシホルダ５を装着すると、図１に示すように、ブラシホルダ５内に配設した駆動シャフト１２の基端部が、連結具１３を介して電動モータ２に接続される。そこでこの状態で、スライドスイッチ６をＯＮにして電動モータ２を起動すると、電動モータ２の回転力が、駆動シャフト１２を介してクランクシャフト１５に伝えられ、クランクシャフト１５が回転駆動される。
　　　【００２９】
　ところで、各ブラシ本体１４のカム孔１８は、図４および図５に示すように、横方向に長軸を有する長孔で構成されている。このため、各ブラシ本体１４は、クランクシャフト１５の回転により、カム孔１８の短軸方向，すなわち上下方向に往復駆動されることになる。しかも、各ブラシ本体１４に対応するクランクピン部は、軸廻りに１８０度ずつずれているので、隣位するブラシ本体１４は、相互に逆のタイミングで上下動することになる。
　　　【００３０】
　しかして、ブラシ装着部１１内で回転するクラクンクシャフト１５により、各ブラシ本体１４を直接駆動するようにしているので、ブラシホルダ５を振動させることなく、毛束１７のみを振動させることができる。このため、奥歯や歯の内側を掃除する際に、ブラシ装着部１１が歯茎部や歯と接触しても、使用者に不快感を与えたり口腔内を傷付けるおそれがない。
　　　【００３１】
　また、駆動部は、クラクンクシャフト１５とカム孔１８のみの簡単な構造であるので、ブラシ装着部１１の部分を小型化して子供用としても用いることができる。また、各ブラシ本体１４の動きは上下動ですべて同一であるが、隣位するブラシ本体１４が相互に逆のタイミングで上下動するので、同一のタイミングで上下動する場合に比較して、歯間部等の凹凸部を、より短時間で完全に掃除することができる。
　　　【００３２】
　図６ないし図８は、本発明の第２実施例を示すもので、前記第１実施例におけるカム孔１８に代え、カム孔２８を設けるようにしたものである。
　　　【００３３】
　すなわち、前記カム孔２８は、図６および図７に示すように、上下方向に長軸を有する縦長孔で構成されており、したがって、各ブラシ本体１４は、クラクンクシャフト１５の回転により、カム孔２８の短軸方向，すなわち横方向に往復駆動され、しかも隣位するブラシ本体１４は、図８に示すように相互に逆のタイミングで往復駆動されるようになっている。
　なお、その他の点については、前記第１実施例と同一となっており、作用も同一である。
　　　【００３４】
　しかして、本実施例によれば、各ブラシ本体１４が横方向に往復駆動され、この動きは、人力で歯を掃除する際に手を上下動させた場合と同一の動きとなるので、歯間部や歯と歯茎部との境界部等を完全に掃除することができる。
　　　【００３５】
　図９は、本発明の第３実施例を示すもので、前記第１実施例におけるカム孔１８に代え、カム孔３８を設けるようにしたものである。
　　　【００３６】
　すなわち、前記カム孔３８は、図９に示すように、例えば右斜め４５度の方向に長軸を有する右斜め長孔で構成されており、したがって、各ブラシ本体１４は、クラクンクシャフト１５の回転により、カム孔３８の短軸方向，すなわち図９に示す両矢印Ａの方向に往復駆動され、しかも隣位するブラシ本体１４は、相互に逆のタイミングで往復駆動されるようになっている。
　なお、その他の点については、前記第１実施例と同一構成となっており、作用も同一である。
　　　【００３７】
　しかして、本実施例によれば、各ブラシ本体１４が左斜め方向に往復駆動されるので、特に毛束１７の角部を用いて歯を掃除する際に、大きな掃除効果が得られる。
　　　【００３８】
　図１０は、本発明の第４実施例を示すもので、前記第１実施例におけるカム孔１８に代え、カム孔４８を設けるようにしたものである。
　　　【００３９】
　すなわち、前記カム孔４８は、図１０に示すように、例えば左斜め４５度の方向に長軸を有する左斜め長孔で構成されており、したがって、各ブラシ本体１４は、クラクンクシャフト１５の回転により、カム孔４８の短軸方向，すなわち図１０に示す両矢印Ｂの方向に往復駆動され、しかも隣位するブラシ本体１４は、相互に逆のタイミングで往復駆動されるようになっている。
　なお、その他の点については、前記第１実施例と同一構成となっており、作用も同一である。
　　　【００４０】
　しかして、本実施例によれば、前記第３実施例とは９０度ずれた方向であるが、各ブラシ本体１４が斜め方向に往復駆動されるので、前記第３実施例と同様の効果が期待できる。
　　　【００４１】
　なお、前記各実施例においては、カム孔１８，２８，３８，４８の長軸の方向が、５個のブラシ本体１４ですべて同一の場合について説明したが、例えばカム孔１８を有するブラシ本体１４とカム孔２８を有するブラシ本体１４とを、ブラシ装着部１１内に交互に配置するようにしたり、あるいはカム孔３８を有するブラシ本体１４とカム孔４８を有するブラシ本体１４とを、ブラシ装着部１１内に交互に配置するようにする等、往復動の方向を異にするブラシ本体１４を組合わせて用いるようにしてもよい。そしてこれにより、より多彩な方向から歯や歯茎部を掃除することができ、歯並びが悪い場合であっても、充分に掃除することができる。したがって、往復動の方向を異にするブラシ本体１４が組込まれたブラシホルダ５を予め複数種類用意しておくようにすれば、使用者が自分の歯並びに合ったブラシホルダ５を容易に得ることができる。
　　　【００４２】
　図１１は、本発明の第５実施例を示すもので、前記第１実施例におけるブラシ本体１４に代え、ブラシ本体５４を用いるようにしたものである。
　　　【００４３】
　すなわち、前記ブラシ本体５４は、図１１に示すように、板状をなしてブラシ装着部１１内に配置される取付ブロック５６と、この取付ブロック５６の上面に例えば一列に植設されてブラシ装着部１１から上面側に突出する毛束５７と、前記取付ブロック５６の内部に回転可能に組付けられた円板状の回転ブロック６０とを備えており、この回転ブロック６０の下端部は、取付ブロック５６に設けられた切欠き６１を介し外部に露出している。
　　　【００４４】
　また、この回転ブロック６０の中心部には、図１１に示すように、所定方向に長軸を有する長孔で構成したカム孔５８が設けられており、また回転ブロック６０の外周部には、位置決め用の突部６２が設けられている。そして、回転ブロック６０を回転させて、前記突部６２を任意の凹部６３，６４，６５，６６，６７に係合させることにより、前記カム孔５８の長軸の方向を一定方向に向けた状態で回転ブロック６０を固定できるようになっている。
　　　【００４５】
　すなわち、取付ブロック５６の回転ブロック６０装着用孔部の内周面には、図１１に示すように、２つの横向き用凹部６３，６４、左斜め４５度向き用の凹部６５、縦向き用の凹部６６、および右斜め４５度向き用の凹部６７が、周方向に４５度の間隔で設けられており、前記突部６２を、例えば図１１に示すように凹部６５に係合させることにより、カム孔５８の長軸の方向を左斜め４５度に向けた状態で、回転ブロック６０を固定できるようになっている。
　　　【００４６】
　この回転ブロック６０の外周部にはまた、図１１に示すように、周方向に狭い間隔で多数の操作穴６８が設けられており、例えば千枚通し状の工具の先端を、水抜き孔１９および切欠き６１を通して任意の操作穴６８に挿入することにより、ブラシ装着部１１の外側から回転ブロック６０を操作できるようになっている。
　なお、その他の点については、前記各実施例と同一構成となっており、作用も同一である。
　　　【００４７】
　しかして、本実施例によれば、回転ブロック６０を回転させることにより、カム孔５８の長軸の方向を変更することができるので、使用者が自分の歯並びに合わせて毛束５７の動きを簡単に調節することができる。
　　　【００４８】
　なお、前記各実施例においては、ブラシ本体１４，５４が、上下方向，横方向，右斜め４５度の方向および左斜め４５度の方向に往復動する場合について説明したが、カム孔の長軸の方向を変更するだけで、前記以外の方向にブラシ本体１４，１５を往復動させることができる。また、その際の往復動の振幅は、クラクンクシャフト１５のクランクピン部の偏心量の変更により、容易に調節することができる。
　　　【００４９】
　　【発明の効果】
　以上説明したように本発明は、各ブラシ本体の取付ブロックに、長孔状のカム孔を設けるとともに、各カム孔にクラクンクシャフトを連続して貫通配置するようにしているので、クラクンクシャフトの回転によりカム孔の長軸の向きに応じた方向に各ブラシ本体が往復動し、ブラシホルダを振動させることなく、毛束のみを振動させることができる。また、駆動部の構造が簡単であるので、毛束部分の形状を小型化でき、子供用としても用いることができる。
　　　【００５０】
　本発明はまた、各カム孔の長軸の向きがほぼ同一となっているので、各毛束の動作をほぼ同一とすることができる。そしてこの際、各カム孔の長軸を上下方向に向けることにより、毛束を横方向に動作させることができ、また各カム孔の長軸を横方向に向けることにより、毛束を上下方向に動作させることができる。すなわち、各カム孔の長軸の向きを変えるだけで、他の機構を全く変更することなく、各毛束の動作を変更することができる。
　　　【００５１】
　本発明はまた、隣位するカム孔の長軸の向きが、ほぼ９０度ずれているので、顕著に異なる２つの動作で隣位するブラシ本体を作動させることができる。そしてこの際、各カム孔の長軸の向きを、上下方向および横方向とすることにより、毛束の動作として、横方向の動作と上下方向の動作とが同時に得られ、効率よく歯茎部と歯間部とを同時に掃除することができ、また充分なマッサージ効果も得られる。
　　　【００５２】
　本発明はさらに、各カム孔の長軸の向きが、変更できるようになっているので、使用者が自分の歯並びに合わせて、最適な毛束の動きを容易に得ることができ、ブラシ本体の動きが異なるブラシホルダを予め複数種類用意しておく必要がない。
【図面の簡単な説明】
　　【図１】
　本発明の第１実施例に係る電動歯ブラシの要部を示す部分断面図である。
　　【図２】
　図１を上方から見た構成図である。
　　【図３】
　図１の電動歯ブラシの全体構成を示す分解図である。
　　【図４】
　図１のＩＶ−ＩＶ線拡大断面図である。
　　【図５】
　図１のＶ−Ｖ線拡大断面図である。
　　【図６】
　本発明の第２実施例を示す図４相当図である。
　　【図７】
　図６と同様の図５相当図である。
　　【図８】
　図６および図７のブラシ本体の動きを毛束側から見た説明図である。
　　【図９】
　本発明の第３実施例を示す図４相当図である。
　　【図１０】
　本発明の第４実施例を示す図４相当図である。
　　【図１１】
　本発明の第５実施例を示す図４相当図である。
　　【符号の説明】
　１　電動歯ブラシ
　２　電動モータ
　３　電源
　４　把手本体
　５　ブラシホルダ
　１１　ブラシ装着部
　１２　駆動シャフト
　１３　連結具
　１４，５４　ブラシ本体
　１５　クラクンクシャフト
　１６，５６　取付ブロック
　１７，５７　毛束
　１８，２８，３８，４８，５８　カム孔
　１９，２０　水抜き孔
　６０　回転ブロック
　６１　切欠き
　６２　突部
　６３，６４，６５，６６，６７　凹部
　６８　操作孔